【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
上りデータのスケジューリングであって、
端末装置が、ネットワーク装置からの第１シグナリングを受信し、前記第１シグナリングがＭ個のビームのビーム情報を含み、Ｍが正整数であることと、
前記端末装置が、前記第１シグナリングに基づいて、前記Ｍ個のうちの全て又は一部のビームに対してキャリアのセンシングを行うことと、
前記端末装置が、センシング結果に基づいて、前記全て又は一部のビームのうちの１つのビームを選択して、前記ネットワーク装置に上りチャネルを送信することとを含む、前記方法。
【請求項２】
前記ビーム情報は、サウンディング基準信号（ＳＲＳ）リソースインデックスであり、及び／又は、
前記上りチャネルは、物理上り共有チャネル（ＰＵＳＣＨ）又は物理上り制御チャネル（ＰＵＣＣＨ）であることを特徴とする
請求項１に記載の方法。
【請求項３】
前記端末装置が、前記第１シグナリングに基づいて前記Ｍ個のビームのうちの全部又は一部のビームに対してキャリアのセンシングを行うことは、
前記端末装置が、Ｎ番目のビームにおいてチャネルがアイドルであることが検出されるまで、前記第１シグナリングに基づいて、前記Ｍ個のビームに対してキャリアのセンシングを順次行い、ＮがＭ以下の正整数であることを含み、
ここで、前記端末装置がセンシング結果に基づいて、前記全部又は一部のビームのうちの１つのビームを選択して前記端末装置に上りチャネルを送信することは、
前記端末装置が、前記Ｎ番目のビームを利用して前記ネットワーク装置に上りチャネルを送信することを含むことを特徴とする
請求項１又は２に記載の方法。
【請求項４】
前記端末装置が前記第１シグナリングに基づいて前記Ｍ個のビームに対してキャリアのセンシングを順次行うことは、
前記端末装置が、前記Ｍ個のビームの優先度に基づいて、優先度の降順に従い、前記Ｍ個のビームに対してキャリアのセンシングを順次行うことを含むことを特徴とする
請求項３に記載の方法。
【請求項５】
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであり、
前記Ｎ個のセンシングウィンドウは、連続したＮ個のセンシングウィンドウであることを特徴とする
請求項４に記載の方法。
【請求項６】
前記上りチャネルは、ＰＵＳＣＨであり、前記第1シグナリングは、第１時間長の情報を更に含み、
ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウであることを特徴とする
請求項１から５のうちいずれか一項に記載の方法。
【請求項７】
前記上りチャネルは、ＰＵＳＣＨであり、前記第１シグナリングは、第２時間長の情報を更に含み、
ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられることを特徴とする
請求項１から６のうちいずれか一項に記載の方法。
【請求項８】
上りデータのスケジューリング方法であって、
ネットワーク装置が、端末装置に第１シグナリングを送信し、前記第１シグナリングがＭ個のビームのビーム情報を含み、Ｍが正整数であることと、
前記ネットワーク装置が、前記端末装置により前記Ｍ個のビームのうちの１つのビームを利用して送信された上りチャネルを受信することとを含む、前記方法。
【請求項９】
前記ビーム情報は、サウンディング基準信号（ＳＲＳ）リソースインデックスであり、及び／又は、
前記上りチャネルは、物理上り共有チャネル（ＰＵＳＣＨ）又は物理上り制御チャネル（ＰＵＣＣＨ）であることを特徴とする
請求項８に記載の方法。
【請求項１０】
前記ネットワーク装置が、前記端末装置により前記Ｍ個のビームのうちの１つのビームを利用して送信された上りチャネルを受信することは、
前記ネットワーク装置が、前記端末装置により前記Ｍ個のビームのうちのＮ番目のビームを利用して送信された上りチャネルを受信し、前記Ｎ番目のビームは、前記端末装置が前記Ｍ個のビームに対してキャリアのセンシングを順次行い、チャネルがアイドルであることが検出される時に対応するビームであり、Ｎが、Ｍ以下の正整数であることを含み、
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであることを特徴とする
請求項８又は９に記載の方法。
【請求項１１】
端末装置であって、
ネットワーク装置からの第１シグナリングを受信し、前記第１シグナリングがＭ個のビームのビーム情報を含み、Ｍが正整数であるように構成される送受信ユニットと、
前記第１シグナリングに基づいて、前記Ｍ個のビームに対してキャリアのセンシングを順次行うように構成されるセンシングユニットとを備え、
前記送受信ユニットは更に、センシング結果に基づいて、前記Ｍ個のビームのうちの１つのビームを選択して前記ネットワーク装置に上りチャネルを送信するように構成される、前記端末装置。
【請求項１２】
前記ビーム情報は、サウンディング基準信号（ＳＲＳ）リソースインデックスであり、及び／又は、
前記上りチャネルは、物理上り共有チャネル（ＰＵＳＣＨ）又は物理上り制御チャネル（ＰＵＣＣＨ）であることを特徴とする
請求項１１に記載の端末装置。
【請求項１３】
前記センシングユニットは具体的には、
Ｎ番目のビームにおいてチャネルがアイドルであることが検出されるまで、前記第１シグナリングに基づいて、前記Ｍ個のビームに対してキャリアのセンシングを順次行うように構成され、ＮがＭ以下の正整数であり、
ここで、前記送受信ユニットは具体的には、前記Ｎ番目のビームを利用して前記ネットワーク装置に上りチャネルを送信するように構成されることを特徴とする
請求項１１又は１２に記載の端末装置。
【請求項１４】
前記センシングユニットは具体的には、
前記Ｍ個のビームの優先度に基づいて、優先度の降順に従い、前記Ｍ個のビームに対してキャリアのセンシングを順次行うように構成されることを特徴とする
請求項１３に記載の端末装置。
【請求項１５】
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであり、
前記Ｎ個のセンシングウィンドウは、連続したＮ個のセンシングウィンドウであることを特徴とする
請求項１４に記載の端末装置。
【請求項１６】
前記上りチャネルは、ＰＵＳＣＨであり、前記第1シグナリングは、第１時間長の情報を更に含み、
ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウであることを特徴とする
請求項１１から１５のうちいずれか一項に記載の端末装置。
【請求項１７】
前記上りチャネルは、ＰＵＳＣＨであり、前記第１シグナリングは、第２時間長の情報を更に含み、
ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられることを特徴とする
請求項１１から１６のうちいずれか一項に記載の端末装置。
【請求項１８】
ネットワーク装置であって、
端末装置に第１シグナリングを送信し、前記第１シグナリングがＭ個のビームのビーム情報を含み、Ｍが正整数であるように構成される送受信ユニットを備え、
前記送受信ユニットは更に、前記端末装置により前記Ｍ個のビームのうちの１つのビームを利用して送信された上りチャネルを受信するように構成される、前記ネットワーク装置。
【請求項１９】
前記ビーム情報は、サウンディング基準信号（ＳＲＳ）リソースインデックスであり、及び／又は、
前記上りチャネルは、物理上り共有チャネル（ＰＵＳＣＨ）又は物理上り制御チャネル（ＰＵＣＣＨ）であることを特徴とする
請求項１８に記載のネットワーク装置。
【請求項２０】
前記送受信ユニットは具体的には、
前記端末装置により前記Ｍ個のビームのうちのＮ番目のビームを利用して送信された上りチャネルを受信するように構成され、前記Ｎ番目のビームは、前記端末装置が前記Ｍ個のビームに対してキャリアのセンシングを順次行い、チャネルがアイドルであることが検出される時に対応するビームであり、Ｎが、Ｍ以下の正整数であり、
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであることを特徴とする
請求項１８又は１９に記載のネットワーク装置。